(57)【要約】【課題】立体ギャザーの柔軟性及び通気性を改善する。【解決手段】立体ギャザーＢＳは、二重のギャザー不織布１５と、このギャザー不織布１５、１５間に挟まれた防水シート１２とを備える。前記ギャザー不織布１５と防水シート１２とが前記防水シート１２の両面においてそれぞれ、接合部３０と非接合部３１とを有しながら間欠的に接合され、前記接合部３０は、前記防水シート１２の両面に対し前記防水シート１２を挟んで互いに対向する位置に設けられている。これにより、ギャザー不織布１５の柔軟性の低下が防止できるとともに、非接合部での通気性が確保されるようになる。【選択図】図６
2015173769.tif 000002
【特許請求の範囲】
【請求項１】
透液性トップシートとバックシートとの間に吸収体が介在されるとともに、肌面側の両側部にそれぞれ長手方向に沿って肌側に起立する左右一対の立体ギャザーが形成された使い捨て紙おむつにおいて、
前記立体ギャザーは、二重のギャザー不織布と、このギャザー不織布間に挟まれた防水シートとを備え、
前記ギャザー不織布と防水シートとが前記防水シートの両面においてそれぞれ、接合部と非接合部とを有しながら間欠的に接合され、前記接合部は、前記防水シートの両面に対し前記防水シートを挟んで互いに対向する位置に設けられていることを特徴とする使い捨て紙おむつ。
【請求項２】
前記防水シートの一方側の面と前記ギャザー不織布との間に、おむつ長手方向に沿って弾性伸縮部材が配置され、
前記弾性伸縮部材は、前記接合部に対応する位置に配置されている請求項１記載の使い捨て紙おむつ。
【請求項３】
ギャザー起立方向に隣接する前記接合部間において、これら接合部間の少なくとも一方側の前記ギャザー不織布の長さが、これら接合部間の前記防水シートの長さより長く形成されている請求項１、２いずれかに記載の使い捨て紙おむつ。
【請求項４】
前記防水シートの一方側の面と前記ギャザー不織布との間に、おむつ長手方向に沿うとともにギャザー起立方向に間隔をあけて複数の弾性伸縮部材が配置され、
前記接合部は、隣接する前記弾性伸縮部材の離間幅が５ｍｍ以下となっている部位においては、これら弾性伸縮部材間に跨って連続的に設けられている請求項１〜３いずれかに記載の使い捨て紙おむつ。
【発明の詳細な説明】
【技術分野】
【０００１】
本発明は、肌面側の両側部に長手方向に沿って左右一対の立体ギャザーが形成された使い捨て紙おむつにおいて、前記立体ギャザーが二重のギャザー不織布と、このギャザー不織布間に挟まれた防水シートとを備えた使い捨て紙おむつに関する。
【背景技術】
【０００２】
従来より、市場に提供される使い捨て紙おむつ５０として、図１３及び図１４に示されるように、吸収体５１を含む吸収性本体５２と、この吸収性本体５２の外面側に一体的に設けられた外装シート５３とからなり、おむつ股下部で折り畳まれ前記外装シート５３の前身頃と後身頃とが両側部において接合されることにより、製品状態でウエスト開口部及び左右一対のレッグ開口部が形成されたパンツ型の使い捨て紙おむつが知られている（下記特許文献１、２など参照。）。
【０００３】
前記吸収性本体５２は、肌面側の両側部に長手方向に沿って左右一対の立体ギャザー５４、５４が形成され、この立体ギャザー５４を形成するギャザー不織布５５は、図１４に示されるように、折り返しによって二重シートとした不織布が用いられ、透液性トップシート５６によって巻き込まれた吸収体５１の側縁部をさらにその上側から巻き込んで吸収体５１の裏面側まで延在して接着されている。前記二重シート不織布によって形成されたギャザー不織布５５の内部には、糸状弾性伸縮部材５７が配設されている。また、前記二重シート状のギャザー不織布５５の内部には、吸収体５１の裏面側に配設されたプラスチックフィルムなどからなる防水シート５８の側部が進入して、立体ギャザー５４において防漏壁を構成するようになっている。
【先行技術文献】
【特許文献】
【０００４】
【特許文献１】特表２００５−５１４２４４号公報
【特許文献２】特開２００９−２７９２０３号公報
【発明の概要】
【発明が解決しようとする課題】
【０００５】
しかしながら、従来の使い捨て紙おむつでは、二重シート状のギャザー不織布の内部に進入した防水シートが、両面のほぼ全面に亘って塗布されたホットメルト接着剤によってギャザー不織布と貼り合わされているため、ホットメルト接着剤の硬化によって不織布の柔らかさが損なわれ、肌当たりが悪化していた。
【０００６】
また、前記防水シートとして、近年では、おむつ内部を蒸れにくくして肌かぶれを防止するなどの点から、通気性を有するものが広く使用されている。しかしながら、前記立体ギャザーにおいて、前記ギャザー不織布と貼り合わせる際、防水シートのほぼ全面に亘ってホットメルト接着剤が塗布されるため、防水シートの通気性が損なわれ、おむつ内部の蒸れの原因となっていた。
【０００７】
そこで本発明の主たる課題は、立体ギャザーの柔軟性及び通気性を改善した使い捨て紙おむつを提供することにある。
【課題を解決するための手段】
【０００８】
上記課題を解決するために請求項１に係る本発明として、透液性トップシートとバックシートとの間に吸収体が介在されるとともに、肌面側の両側部にそれぞれ長手方向に沿って肌側に起立する左右一対の立体ギャザーが形成された使い捨て紙おむつにおいて、
前記立体ギャザーは、二重のギャザー不織布と、このギャザー不織布間に挟まれた防水シートとを備え、
前記ギャザー不織布と防水シートとが前記防水シートの両面においてそれぞれ、接合部と非接合部とを有しながら間欠的に接合され、前記接合部は、前記防水シートの両面に対し前記防水シートを挟んで互いに対向する位置に設けられていることを特徴とする使い捨て紙おむつが提供される。
【０００９】
上記請求項１記載の発明では、立体ギャザーが、二重のギャザー不織布と、このギャザー不織布間に挟まれた防水シートとを備えた構造とされ、前記ギャザー不織布と防水シートとが防水シートの両面においてそれぞれ、接合部と非接合部とを有しながら間欠的に接合されているため、防水シートの全面に亘って接着剤を塗布した従来の使い捨て紙おむつと比較して、接着剤の塗布量が減少でき接着剤の硬化によるギャザー不織布の柔軟性の低下が防止できるとともに、前記非接合部ではギャザー不織布の柔らかい質感が維持できる結果、立体ギャザーの柔軟性が改善できるようになる。また、前記接合部が間欠的に設けられるため、非接合部において防水シートの通気性が確保される結果、立体ギャザーの通気性が改善できるようになる。
【００１０】
そして、前記接合部は、防水シートの両面に対し防水シートを挟んで互いに対向する位置に設けられているため、前記接合部を設けることによる防水シートの通気性の低下が最小限に抑えられ、立体ギャザーの通気性が確実に改善できるようになる。
【００１１】
請求項２に係る本発明として、前記防水シートの一方側の面と前記ギャザー不織布との間に、おむつ長手方向に沿って弾性伸縮部材が配置され、
前記弾性伸縮部材は、前記接合部に対応する位置に配置されている請求項１記載の使い捨て紙おむつが提供される。
【００１２】
上記請求項２記載の発明では、前記立体ギャザーに配置される弾性伸縮部材を、前記接合部に対応する位置に配置することにより、ギャザー不織布及び防水シートの接着部位を最小限に抑え、ギャザー不織布の柔軟性が低下するのを抑えるとともに、防水シートの通気性が低下するのを抑えている。
【００１３】
請求項３に係る本発明として、ギャザー起立方向に隣接する前記接合部間において、これら接合部間の少なくとも一方側の前記ギャザー不織布の長さが、これら接合部間の前記防水シートの長さより長く形成されている請求項１、２いずれかに記載の使い捨て紙おむつが提供される。
【００１４】
上記請求項３記載の発明では、ギャザー起立方向に隣接する前記接合部間において、これら接合部間の防水シートの長さより、少なくとも一方側のギャザー不織布の長さの方が長くなるように形成することによって、ギャザー不織布を接合部間で弛ませて、ギャザー不織布にシワが入りやすくすることで、立体ギャザーの柔軟性を向上している。なお、二重のギャザー不織布のうち、一方のギャザー不織布のみを弛ませてもよいし、両方のギャザー不織布を弛ませるようにしてもよい。
【００１５】
請求項４に係る本発明として、前記防水シートの一方側の面と前記ギャザー不織布との間に、おむつ長手方向に沿うとともにギャザー起立方向に間隔をあけて複数の弾性伸縮部材が配置され、
前記接合部は、隣接する前記弾性伸縮部材の離間幅が５ｍｍ以下となっている部位においては、これら弾性伸縮部材間に跨って連続的に設けられている請求項１〜３いずれかに記載の使い捨て紙おむつが提供される。
【００１６】
上記請求項４記載の発明では、おむつ長手方向に沿うとともにギャザー起立方向に間隔をあけて配置された弾性伸縮部材同士の間が近接している場合、製造の簡便性を考慮して、前記接合部をこれらの弾性伸縮部材間に跨って連続的に設けるようにしている。
【発明の効果】
【００１７】
以上詳説のとおり本発明によれば、立体ギャザーの柔軟性及び通気性が改善できるようになる。
【図面の簡単な説明】
【００１８】
【図１】本発明に係る使い捨て紙おむつ１の製品状態外観図である。
【図２】展開状態での組立図である。
【図３】外装シート２０の展開図である。
【図４】吸収性本体１０の平面図である。
【図５】(A)は吸収性本体１０の展開状態での半横断面図、(B)はその製品状態を示す図である。
【図６】立体ギャザーＢＳの拡大断面図である。
【図７】立体ギャザーＢＳの組立要領図（その１）である。
【図８】立体ギャザーＢＳの組立要領図（その２）である。
【図９】立体ギャザーＢＳの組立要領図（その３）である。
【図１０】立体ギャザーＢＳの変形例を示す断面図である。
【図１１】立体ギャザーＢＳの変形例を示す断面図である。
【図１２】立体ギャザーＢＳの変形例を示す断面図である。
【図１３】従来の使い捨て紙おむつ５０の展開図である。
【図１４】従来の使い捨て紙おむつ５０の横断面図である。
【発明を実施するための形態】
【００１９】
以下、本発明の実施の形態について図面を参照しながら詳述する。
【００２０】
図１乃至図５に示されるように、本使い捨て紙おむつ１（以下、単におむつともいう。）は、不織布などからなる透液性トップシート１１と、ポリエチレン等からなる防水シート１２との間に、綿状パルプなどの吸収体１３を介在させるとともに、肌面側の両側部にそれぞれおむつ長手方向に沿って肌側に起立する左右一対の立体ギャザーＢＳ、ＢＳが形成された吸収性本体１０と、この吸収性本体１０の外面側に一体的設けられ、おむつのバックシートを構成する外装シート２０とからなり、製品状態で前記外装シート２０の前身頃と後身頃とが両側部において接合されることによりウエスト開口部及び左右一対のレッグ開口部が形成された構造のパンツ型のおむつである。
【００２１】
以下、更に各構成部材について具体的に詳述する。
【００２２】
（外装シート２０）
先ず最初に、外装シート２０の構造の一例について図３に基づいて詳述すると、
前記外装シート２０は、上層不織布２０Ａ及び下層不織布２０Ｂからなる２層構造の不織布シートとされ、前記上層不織布２０Ａと下層不織布２０Ｂとの間に各種弾性部材が配設され、伸縮性が付与されている。平面形状は、中間両側部に夫々脚部開口を形成するための凹状の脚回りカットライン２９により、全体として擬似砂時計形状を成している。
【００２３】
本発明に係る外装シート２０においては、前記弾性部材として、図３に示される展開形状において、前記ウエスト開口部回り２３に配置されたウエスト部弾性部材２４，２４…と、前身頃Ｆ及び後身頃Ｂに、上下方向に間隔をおいて水平方向に沿って配置された複数の腰回り弾性部材群２５，２５…とを備えるものである。なお、前記脚回りカットライン２９に沿って実質的に連続する、所謂脚回り弾性部材を設けてもよい。
【００２４】
前記ウエスト部弾性部材２４，２４…は、前身頃Ｆと後身頃Ｂとが接合された脇部接合縁２１、２２の範囲の内、ウエスト開口縁近傍に上下方向に間隔をおいて配設された複数条の糸ゴム状弾性部材であり、身体のウエスト部回りを締め付けるように伸縮力を与えることにより紙おむつを身体に装着するためのものである。このウエスト部弾性部材２４は、図示例では糸ゴムを用いたが、例えばテープ状の伸縮部材を用いてもよい。
【００２５】
前記腰回り弾性部材群２５，２５…は、脇部接合縁２１、２２の内、概ね上部から下部までの範囲に亘り、上下方向に間隔をおいて水平方向に沿って配設された糸ゴム状の弾性部材であり、前身頃Ｆ及び後身頃Ｂの腰回り部分に夫々水平方向の伸縮力を与え、紙おむつを身体に密着させるためのものである。なお、前記ウエスト部弾性部材２４、２４…と腰回り弾性部材群２５、２５…との境界は必ずしも明確でなくてよい。例えば、前身頃Ｆ及び後身頃Ｂに上下方向に間隔をおいて水平方向に配置された弾性部材の内、数は特定できなくても、上部側の何本かがウエスト部弾性部材として機能し、残りの弾性部材が腰回り弾性部材として機能していればよい。
【００２６】
（吸収性本体１０）
吸収性本体１０は、図４及び図５に示されるように、不織布などからなる透液性トップシート１１と、ポリエチレン等からなる防水シート１２との間に、綿状パルプなどの吸収体１３を介在させた構造とされ、体液を吸収保持するものである。
【００２７】
前記吸収体１３は、図示例では平面形状を略方形状として成形されたものが使用され、その幅寸法は股間部への当たりによって着用者にゴワ付き感を与えない寸法幅となっている。この吸収体１３は、形状保持と透液性トップシート１１を透過した体液の拡散性向上のためにクレープ紙１４によって囲繞されている。なお、前記吸収体１３としては、嵩を小さくできるエアレイド吸収体を用いるのが望ましい。
【００２８】
前記吸収体１３の表面側（肌当接面側）を覆う透液性トップシート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性トップシート１１に多数の透孔を形成した場合には、尿などが速やかに吸収されるようになり、ドライタッチ性に優れたものとなる。前記透液性トップシート１１は、吸収体１３の側縁部を巻き込んで吸収体１３の裏面側まで延在している。
【００２９】
前記吸収体１３の裏面側（非肌当接面側）を覆う防水シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００３０】
（立体ギャザーＢＳ）
次に、前記吸収性本体１０の肌面側の両側部にそれぞれおむつ長手方向に沿って肌側に起立する左右一対で形成される前記立体ギャザーＢＳについて、以下詳細に説明する。
【００３１】
前記立体ギャザーＢＳを形成するギャザー不織布１５は、図５及び図６に示されるように、折返しによって二重シートとした不織布が用いられ、前記透液性トップシート１１によって巻き込まれた吸収体１３の側縁部をさらにその上側から巻き込んで吸収体１３の裏面側まで延在して接着されている。より具体的には、前記ギャザー不織布１５は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、前記幅方向中間部から一方側端縁までの区間が吸収体１３の裏面側に亘る範囲で接着されるとともに、前記立体ギャザーＢＳを形成する部分を吸収体１３の上面部にて折り畳むようにしながらホットメルト接着剤等により接着している。
【００３２】
前記二重シート不織布によって形成されたギャザー不織布１５の内部には、起立先端側部分におむつ長手方向に沿って１本又は複数本の、図示例ではギャザー起立方向に間隔をあけて複数本の糸状弾性伸縮部材１６、１６…が配設されている。前記糸状弾性伸縮部材１６、１６…は、製品状態において図５(B)に示されるように、弾性伸縮力により吸収体側縁部より突出する不織布部分を起立させて立体ギャザーＢＳを形成するためのものである。
【００３３】
前記防水シート１２は、両側部が前記二重シート状のギャザー不織布１５の内部まで進入し、図５に示されるように、立体ギャザーＢＳの下側（起立基端側）において防漏壁を構成するようになっている。前記防水シート１２は、立体ギャザーＢＳの肌当たりを良くするため、ギャザー不織布１５の折返し端側に若干の幅で二重シート状のギャザー不織布１５、１５のみからなる部分を残して、立体ギャザーＢＳの先端付近まで延在している。かかる防水シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３４】
前記糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは３１０〜９４０dtex、テンションは自然長を１００％としたときの伸長率が２５０〜２９０％（２．５倍〜２．９倍）として配設するのがよい。なお、糸状弾性伸縮部材に代えて、ある程度の幅を有するテープ状弾性伸縮部材を用いるようにしてもよい。
【００３５】
前述のギャザー不織布１５を構成する素材繊維も前記透液性トップシート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法により得られた不織布を用いることができるが、特にはムレを防止するために坪量を抑えて通気性に優れた不織布を用いるのがよい。さらに前記ギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３６】
本発明に係る使い捨て紙おむつ１では、図６に示されるように、前記ギャザー不織布１５、１５と防水シート１２とは、前記防水シート１２の両面においてそれぞれ、接合部３０と非接合部３１とを有しながら間欠的に接合されている。すなわち、前記ギャザー不織布１５、１５と防水シート１２とは、ホットメルト接着剤の塗布などによる複数の接合部３０、３０…において互いに接合される一方で、この接合部３０以外の領域では両者が互いに接合されない非接合部３１とされている。図示例では、前記接合部３０、３０…は、おむつ長手方向に沿うとともにギャザー起立方向に間隔をあけて複数の直線状に設けられている。
【００３７】
ギャザー不織布１５と防水シート１２とが間欠的に接合されるとは、接着剤の塗布部分である接合部３０と非塗布部分である非接合部３１とが交互に繰り返し複数に亘って設けられることにより、所定の間隔をあけて配置された前記接合部３０、３０…においてギャザー不織布１５と防水シート１２とが接合された状態のことである。通常、接合部３０と非接合部３１との割合は、接合部３０の面積の方が非接合部３１の面積より小さくなるように設定されている。
【００３８】
なお、図６に示される例では、防水シート１２の一方側の面（左側の面）に設けられた接合部３０、３０…に対応して、それぞれ前記糸状弾性伸縮部材１６が配置されている。
【００３９】
このように、ギャザー不織布１５と防水シート１２との接合部３０、３０…が間欠的に設けられることにより、防水シート１２の全面に亘って接着剤を塗布した従来の使い捨て紙おむつに比べて、接着剤の塗布量が大幅に減少でき接着剤の硬化によりギャザー不織布１５の柔軟性が低下するのが防止できるとともに、前記非接合部３１ではギャザー不織布１５の柔らかい質感が維持できる結果、立体ギャザーＢＳの柔軟性が改善できるようになる。
【００４０】
また、前記接合部３０を間欠的に設けることにより、前記非接合部３１において防水シート１２の通気性が確保される結果、立体ギャザーＢＳの通気性が改善できるようになる。すなわち、従来の使い捨て紙おむつでは、防水シートのほぼ全面に亘ってホットメルト接着剤が塗布されギャザー不織布に接合されていたため、たとえ通気性を有する防水シートを使用しても接着剤が塗布されることによって通気性が失われていたが、本使い捨て紙おむつ１では、接着剤を塗布しない非接合部３１が設けられているため、この非接合部３１では接着剤による通気性の低下を招くことなく防水シート本来の通気性が確保され、おむつ内部のムレが防止できるようになる。
【００４１】
また、本使い捨て紙おむつ１では、前記接合部３０は、図６に示されるように、防水シート１２の両面に対し防水シート１２を挟んで互いに対向する位置に設けられている。つまり、防水シート１２の一方側の面に設けられる接合部３０と、他方側の面に設けられる接合部３０とが、防水シート１２に対して表裏でほぼ同じ位置、より詳細には防水シート１２の厚み方向に対し、両面の接合部３０、３０同士の少なくとも一部が重なる位置に設けられている。
【００４２】
防水シート１２の一方側の面に設けられる接合部３０と、他方側の面に設けられる接合部３０とは、同一の平面パターン（直線や点線など）である必要はないが、少なくとも両面の接合部３０、３０の配向方向（接合部３０が延びる方向）が一致するように設けられるようにする。つまり、一方側の接合部３０がおむつ長手方向に沿って連続する直線で設けられる場合、他方側の接合部３０は、この一方側の接合部３０の配向方向と一致する方向（おむつ長手方向）に延びる直線や点線などの平面パターンで設けられている。このとき、対向する接合部３０、３０同士は、防水シート１２の厚み方向に対し少なくとも一部が重なるように配置するのが好ましく、少なくとも一方の接合部３０の全部が対向する接合部３０と重なるように配置するのがより好ましい。なお、接合部３０の幅は、対向する接合部３０、３０同士で同一であっても異なっていてもよい。
【００４３】
防水シート１２の両面にこのような関係で接合部３０、３０を配置することにより、非接合部３１が最大限広く確保できるので、接合部３０による通気性の低下が最小限に抑えられ、立体ギャザーＢＳの通気性が確実に改善できるようになる。また、接合部３０によりギャザー不織布１５の柔軟性が低下する位置が表裏で同じ位置にまとまるため、着用者が柔軟性の低下を感じにくくなり、立体ギャザーＢＳの柔軟性が確実に改善できるようになる。
【００４４】
図６に示されるように、防水シート１２の一方側面（左側の面）とギャザー不織布１５との間に、おむつ長手方向に沿って糸状弾性伸縮部材１６が配置される場合、この糸状弾性伸縮部材１６は、前記接合部３０に対応する位置に設けるのが好ましい。つまり、糸状弾性伸縮部材１６をギャザー不織布１５及び防水シート１２に固定するための固定部が、ギャザー不織布１５と防水シート１２との接合部３０を兼用するようにする。これにより、糸状弾性伸縮部材１６を固定するための固定部を別途設けることによって防水シート１２の通気性及び柔軟性が低下するのが防止できるようになる。また、糸状弾性伸縮部材１６の配設位置に対応する反対側の面で防水シート１２とギャザー不織布１５とが接合されることになるため、前記糸状弾性伸縮部材１６の収縮によって反対側の面が極端に収縮して資材間に隙間ができ、立体ギャザーＢＳの外観を悪化させるのが防止できるようになる。
【００４５】
前記糸状弾性伸縮部材１６を接合部３０と対応する位置に配置する場合の立体ギャザーＢＳの組立て要領について図７〜図９に基づいて説明する。まず、図７に示されるように、ギャザー不織布１５のライン幅方向に対して一方側に、防水シート１２と重なる領域であって糸状弾性伸縮部材１６、１６…の配設予定位置に対して複数条の直線状のホットメルト接着剤を塗布する。
【００４６】
次に、図８に示されるように、前記ホットメルト接着剤を塗布したギャザー不織布１５の上面に防水シート１２を積層してギャザー不織布１５と防水シート１２とを接合する。続いて、この防水シート１２の上面の所定位置及び防水シート１２よりギャザー不織布１５のライン幅方向中央側の上面の所定位置にそれぞれ、周面塗布装置によって周面にホットメルト接着剤を塗布した糸状弾性伸縮部材１６、１６…を接着し、ギャザー不織布１５をライン幅方向の中央部で糸状弾性伸縮部材１６、１６…の上面に折り返して接合する（図９）。しかる後、所定の長さで切断し、立体ギャザーＢＳが完成する。
【００４７】
本発明の最適な実施形態は、図６に示されるように、一方側のギャザー不織布１５と防水シート１２とが糸状弾性伸縮部材１６の周囲に塗布された接着剤（接合部３０）を介して接合され、他方側のギャザー不織布１５と防水シート１２とを接合する接合部３０が、前記一方側のギャザー不織布１５と防水シート１２との間に設けられた接合部３０を含む幅で形成されるようにしたものである。すなわち、他方側のギャザー不織布１５と防水シート１２との間に設けられた接合部３０が、一方側の糸状弾性伸縮部材１６の周囲に塗布された接着剤による接合部３０を、防水シート１２の厚み方向に含む幅で形成されている。これにより、糸状弾性伸縮部材１６の収縮力が一方側のギャザー不織布１５のみならず、他方側のギャザー不織布１５にも適度に伝わり、それぞれのギャザー不織布１５に適切なシワが形成され、立体ギャザーの肌当たりが柔らかくなる。
【００４８】
前記立体ギャザーＢＳは、図１０及び図１１に示されるように、ギャザー起立方向に隣接する接合部３０、３０間において、これら接合部３０、３０間の少なくとも一方側面に配置されるギャザー不織布１５の長さＡが、これら接合部３０、３０間の防水シート１２の長さＢより長くなるように形成することができる（Ａ＞Ｂ）。これにより、ギャザー不織布１５を接合部３０、３０間で弛ませて配置することができ、この弛んだ部分のギャザー不織布１５にシワが入りやすくなり、立体ギャザーＢＳの柔軟性が向上できる。前記ギャザー不織布１５の長さＡは、防水シート１２の長さＢに対して、１．１倍〜３倍とするのが好ましい。
【００４９】
前記ギャザー不織布１５を弛ませる場合、図１０に示されるように、いずれか一方側のギャザー不織布１５のみを弛ませてもよいし、図１１に示されるように、両側のギャザー不織布１５、１５を弛ませても良い。両側のギャザー不織布１５、１５を弛ませる場合は、一方側に配置されたギャザー不織布１５の接合部３０、３０間の長さＡと、他方側に配置されたギャザー不織布１５の接合部３０、３０間の長さＡ’とを同じ（Ａ＝Ａ’）にするのが好ましいが、異ならせても良い（Ａ＜Ａ’又はＡ＞Ａ’）。例えば、肌面側に配置されるギャザー不織布１５の弛みを大きくすることによって、肌当たりを良くすることができる。
【００５０】
前述の接合部３０、３０間で防水シート１２とギャザー不織布１５との長さを変えるには、防水シート１２とギャザー不織布１５をラインに繰り出す際のテンションを変えることによって、それぞれのシートの伸び率が変化し、復元時の長さを変えることが可能である。具体的には、防水シート１２のテンションよりギャザー不織布１５のテンションを低く設定することによって、復元時に防水シート１２の収縮量が大きくギャザー不織布１５の収縮量が小さくなり、防水シート１２よりギャザー不織布１５を弛ませるて配置することができるようになる。
【００５１】
図６に示されるように、隣接する前記接合部３０、３０間の離間幅Ｗは、ギャザー不織布１５の意図しない浮きを防止するため、２０ｍｍ以下とするのが好ましい。この離間幅Ｗは、一定である必要はなく、各接合部３０、３０間で異ならせることができる。隣接する糸状弾性伸縮部材１６、１６間の離間幅が２０ｍｍを超える場合、その中間に接合部３０を設けてもよいが、防水シート１２の通気性を確保するとともに、糸状弾性伸縮部材１６の収縮によってギャザー不織布１５の浮きが抑制されるので設けなくてもよい。
【００５２】
前記接合部３０は、図１２に示されるように、隣接する糸状弾性伸縮部材１６、１６間の離間幅Ｗｃが５ｍｍ以下（Ｗｃ≦５ｍｍ）となっている部位においては、前記糸状弾性伸縮部材１６が配設される一方側面およびこれと反対側の他方側面に設けられる接合部３０をそれぞれ、近接する糸状弾性伸縮部材１６、１６間に跨るように連続的に設けるのが好ましい。これにより、接着剤の塗布工程が簡略化できるとともに、近接した糸状弾性伸縮部材１６、１６によってギャザー不織布１５に細かいシワが入って肌当たり感を低下させるのが防止できるようになる。
【００５３】
（使い捨て紙おむつ１の組立）
前記吸収性本体１０と外装シート２０とは、図２に示されるように、外装シート２０の上面側に吸収性本体１０がホットメルト等の接着剤によって接着され一体化される。そして、吸収性本体１０および外装シート２０が前後方向に折り重ねられ、その両側部が相互に熱溶着またはホットメルト接着剤などによって接合されることによりパンツ型の使い捨て紙おむつ１に組み立てられる。
【００５４】
〔他の形態例〕
(1)上記形態例では、おむつ長手方向に沿うとともにギャザー起立方向に間隔をあけて間欠的に接合部３０、３０…を設けていたが、前記接合部３０、３０…を、ギャザー起立方向に沿うとともにおむつ長手方向に間隔をあけて間欠的に設けてもよいし、傾斜する方向に間欠的に設けてもよい。
(2)上記形態例では、パンツ型のおむつを例に採り説明したが、テープ式のおむつに対しても同様に適用できる。
【符号の説明】
【００５５】
１…使い捨て紙おむつ、１０…吸収性本体、１１…透液性トップシート、１２…防水シート、１３…吸収体、１４…クレープ紙、１５…ギャザー不織布、１６…糸状弾性伸縮部材、２０…外装シート、３０…接合部、３１…非接合部
【図１】
2015173769.tif 000003
【図２】
2015173769.tif 000004
【図３】
2015173769.tif 000005
【図４】
2015173769.tif 000006
【図５】
2015173769.tif 000007
【図６】
2015173769.tif 000008
【図７】
2015173769.tif 000009
【図８】
2015173769.tif 000010
【図９】
2015173769.tif 000011
【図１０】
2015173769.tif 000012
【図１１】
2015173769.tif 000013
【図１２】
2015173769.tif 000014
【図１３】
2015173769.tif 000015
【図１４】
2015173769.tif 000016